(57)【要約】【課題】本発明は、コイン投入作動装置のコインボックスに収容されているコインの枚数を把握すると共に集金時における不正行為を防止できるコイン投入作動装置のコイン管理集金システムを提供する。【解決手段】コインロッカー管理会社１２には有料コインロッカー１４を管理するパソコン１６と管理集金サーバー１８が設置されている。有料コインロッカー１４のコインボックス３０のコインボックス本体３２にはコイン計測表示装置４０が設けられている。このコイン計測表示装置４０には赤外線通信装置４６が設けられ集金担当者が携帯しているハンディターミナル６０にデータを送信できるようになっている。ハンディターミナル６０はデータを管理集金サーバー１８に送信できるようになっている。【選択図】図１
2020021433.tif 000002
【特許請求の範囲】
【請求項１】
コインの投入を条件に利用できるコイン投入作動装置のコイン管理集金システムであって、
前記コイン投入作動装置を管理するコイン投入作動装置管理会社に設置される管理用端末装置と、前記コイン投入作動装置管理会社に設置されると共に前記管理用端末装置と接続された管理集金サーバーと、前記コイン投入作動装置に設けられると共にコイン投入作動装置に投入されたコインを収容するコインボックスと、このコインボックスを構成するコインボックス本体と、このコインボックス本体と前記コインボックスを構成すると共にコインボックス本体に載置されるコイントレイと、前記コインボックス本体に設けられて前記コイントレイに収容されたコインを計測してコインの枚数を表示するコイン計測表示装置と、このコイン計測表示装置を構成すると共に前記コインボックス本体に設けられて前記コイントレイに収容されたコインの重量を計測する荷重センサーと、この荷重センサーと前記コイン計測表示装置を構成すると共に前記コインボックス本体に設けられて前記コイントレイに収容されたコインの枚数を表示するコイン枚数表示装置と、前記コインボックス本体に設けられると共に開錠されると前記コイン計測表示装置を作動させるコインボックス用錠前と、前記コイン計測表示装置に設けられて前記コイントレイに収容されたコインの枚数やコインボックスの個別識別番号等のデータを送信するデータ送信装置と、前記コイン投入作動装置からコインを回収する集金担当者に携帯されると共に前記データ送信装置から送信されたデータを前記管理集金サーバーに送信できる携帯端末と、を有してなることを特徴とするコイン投入作動装置のコイン管理集金システム。
【請求項２】
コインの投入を条件に利用できるコイン投入作動装置のコイン管理集金システムであって、
前記コイン投入作動装置を管理するコイン投入作動装置管理会社に設置される管理用端末装置と、前記コイン投入作動装置管理会社に設置されると共に前記管理用端末装置と接続された管理集金サーバーと、前記コイン投入作動装置に設けられると共にコイン投入作動装置に投入されたコインを収容するコインボックスと、このコインボックスを構成するコインボックス本体と、このコインボックス本体と前記コインボックスを構成すると共にコインボックス本体に載置されるコイントレイと、前記コインボックス本体に設けられて前記コイントレイに収容されたコインを計測してコインの枚数を表示するコイン計測表示装置と、このコイン計測表示装置を構成すると共に前記コインボックス本体に設けられて前記コイントレイに収容されたコインの重量を計測する荷重センサーと、この荷重センサーと前記コイン計測表示装置を構成すると共に前記コインボックス本体に設けられて前記コイントレイに収容されたコインの枚数を表示するコイン枚数表示装置と、前記コインボックス本体に設けられると共に前記コイン投入作動管理会社が設定した時間に前記コイン計測表示装置を作動させるタイマー装置と、前記コイン計測表示装置に設けられて前記コイントレイに収容されたコインの枚数やコインボックスの個別識別番号等のデータを前記管理集金サーバーに送信できるデータ遠隔収集装置と、を有してなることを特徴とするコイン投入作動装置のコイン管理集金システム。
【請求項３】
前記コイン投入作動装置は、有料コインロッカーであることを特徴とする請求項１、請求項２のいずれか１項記載のコイン投入作動装置のコイン管理集金システム。
【発明の詳細な説明】
【技術分野】
【０００１】
本発明は、有料コインロッカー、各種自動販売機、ゲーム機等のようにコインの投入を条件に利用することができるコイン投入作動装置のコイン管理集金システムに関し、詳しくは前記コイン投入作動装置のコインボックスに収容されているコインの枚数等のデータをコイン投入作動装置管理会社に送信することにより、コイン投入作動装置管理会社が前記コインボックスに収容されているコインの枚数を把握できると共にコインボックスに収容されているコインを適正に集金できるコイン投入作動装置のコイン管理集金システムに関する。
【背景技術】
【０００２】
駅、スポーツ施設、娯楽施設、公共施設等の多くには利用者の便宜を図るためにコインの投入を条件に利用できるコイン投入作動装置としての有料コインロッカーが設置されている。
この有料コインロッカーは、利用者が利用料金分のコインをロッカー本体のコイン投入口に投入することにより、ロッカー本体に備えられた錠前のキーを操作してロッカー本体を利用できるようになっている。
通常、前記有料コインロッカーは、立方体状のロッカーキャビネットに多数のロッカー本体を設けて構成されている。
このロッカーキャビネットの下部にはロッカー本体のコイン投入口に投入されたコインが落下して収容されるコインボックスが引き出し可能に設けられている（例えば特許文献１）。
このため、前記有料コインロッカーを管理するコインロッカー管理会社は、集金担当者に有料コインロッカーを定期的に巡回させ、集金担当者が前記コインボックスからコインを取り出してコインロッカー管理会社に集金したコインを届けることにより、有料コインロッカーからコインを回収している。
【先行技術文献】
【特許文献】
【０００３】
【特許文献１】実用新案登録第３１８４５５９号公報
【発明の概要】
【発明が解決しようとする課題】
【０００４】
従って、前記コインロッカー管理会社は、有料コインロッカーのコインボックスを取り出して実際に見てみないとコインボックスに収容されているコインの枚数を把握することができないので、集金担当者が集金時に有料コインロッカーのコインボックスからコインを適宜枚数抜き取る等の不正行為を行っても当該不正行為を把握できないという不具合がある。
そこで、このような不正行為を防止するために集金を複数人のグループで行うことにより前記不正行為を抑止することも可能であるが、集金担当者の人数が増加すると人件費が増え経済的でないという不具合がある。
【０００５】
本発明は、上記事実に鑑みなされたものであり、コイン投入作動装置のコインボックスに収容されているコインの枚数を把握、管理することにより集金時における不正行為を防止することができるコイン投入作動装置のコイン管理集金システムを提供するものである。
【課題を解決するための手段】
【０００６】
本発明は、上記の如き実情に鑑みこれらの課題を解決することを目的として創作されたものであり、
請求項１の発明は、コインの投入を条件に利用できるコイン投入作動装置のコイン管理集金システムであって、
前記コイン投入作動装置を管理するコイン投入作動装置管理会社に設置される管理用端末装置と、前記コイン投入作動装置管理会社に設置されると共に前記管理用端末装置と接続された管理集金サーバーと、前記コイン投入作動装置に設けられると共にコイン投入作動装置に投入されたコインを収容するコインボックスと、このコインボックスを構成するコインボックス本体と、このコインボックス本体と前記コインボックスを構成すると共にコインボックス本体に載置されるコイントレイと、前記コインボックス本体に設けられて前記コイントレイに収容されたコインを計測してコインの枚数を表示するコイン計測表示装置と、このコイン計測表示装置を構成すると共に前記コインボックス本体に設けられて前記コイントレイに収容されたコインの重量を計測する荷重センサーと、この荷重センサーと前記コイン計測表示装置を構成すると共に前記コインボックス本体に設けられて前記コイントレイに収容されたコインの枚数を表示するコイン枚数表示装置と、前記コインボックス本体に設けられると共に開錠されると前記コイン計測表示装置を作動させるコインボックス用錠前と、前記コイン計測表示装置に設けられて前記コイントレイに収容されたコインの枚数やコインボックスの個別識別番号等のデータを送信するデータ送信装置と、前記コイン投入作動装置からコインを回収する集金担当者に携帯されると共に前記データ送信装置から送信されたデータを前記管理集金サーバーに送信できる携帯端末と、を有してなることを特徴としている。
請求項２の発明は、コインの投入を条件に利用できるコイン投入作動装置のコイン管理集金システムであって、
前記コイン投入作動装置を管理するコイン投入作動装置管理会社に設置される管理用端末装置と、前記コイン投入作動装置管理会社に設置されると共に前記管理用端末装置と接続された管理集金サーバーと、前記コイン投入作動装置に設けられると共にコイン投入作動装置に投入されたコインを収容するコインボックスと、このコインボックスを構成するコインボックス本体と、このコインボックス本体と前記コインボックスを構成すると共にコインボックス本体に載置されるコイントレイと、前記コインボックス本体に設けられて前記コイントレイに収容されたコインを計測してコインの枚数を表示するコイン計測表示装置と、このコイン計測表示装置を構成すると共に前記コインボックス本体に設けられて前記コイントレイに収容されたコインの重量を計測する荷重センサーと、この荷重センサーと前記コイン計測表示装置を構成すると共に前記コインボックス本体に設けられて前記コイントレイに収容されたコインの枚数を表示するコイン枚数表示装置と、前記コインボックス本体に設けられると共に前記コイン投入作動管理会社が設定した時間に前記コイン計測表示装置を作動させるタイマー装置と、前記コイン計測表示装置に設けられて前記コイントレイに収容されたコインの枚数やコインボックスの個別識別番号等のデータを前記管理集金サーバーに送信できるデータ遠隔取集装置と、を有してなることを特徴としている。
請求項３の発明は、前記コイン投入作動装置は、有料コインロッカーであることを特徴としている。
【発明の効果】
【０００７】
請求項１の本発明は、コイン投入作動装置管理会社は、コイン投入作動装置のコインボックスに収容されているコインの枚数等を把握、管理することができるため、コイン投入作動装置の集金時における不正行為を防止できるという優れた効果を有する。
請求項１の本発明は、コイン投入作動装置の集金時における不正行為を防止できるため、集金人員を最小限に抑えることができて人件費を抑えることができるという優れた効果を有する。
請求項１の本発明は、コイン投入作動装置のコインボックスに収容されているコインの集金時における不正行為を防止するシステムとしてはシンプルな構成であるので費用を抑えて本システムを導入できるという優れた効果を有する。
請求項１の本発明は、既存のコイン投入作動装置のコインボックスを差し替えれば既存のコイン投入作動装置を引き続き使用できるので資源の無駄を抑えることができるという優れた効果を有する。
請求項２の本発明は、上記優れた効果の他にコイン投入作動装置管理会社は、コイン投入作動装置を巡回しなくてもコイン投入作動装置のコインボックスに収容されているコインの枚数等を把握、管理することができるという優れた効果を有する。
請求項２の本発明は、上記優れた効果の他にコイン投入作動装置管理会社は、コイン投入作動装置を巡回しなくてもコイン投入作動装置のコインボックスに収容されているコインの枚数等を把握することができるため、コイン投入作動装置の集金を計画的、効率的に行うことができると共に集金コストを抑えることができるという優れた効果を有する。
請求項２の本発明は、上記優れた効果の他にコイン投入作動装置管理会社は、コイン投入作動装置を巡回しなくてもコイン投入作動装置のコインボックスに収容されているコインの枚数等を把握することができるため、コインボックスからコインが盗まれる等の事件が発生しても迅速に対応できるという優れた効果を有する。
【図面の簡単な説明】
【０００８】
【図１】第１実施例のコイン投入作動装置のコイン管理集金システムの全体概略図である。
【図２】第１実施例のコイン投入作動装置のコイン管理集金システムに使用されるコインボックスの側面図である。
【図３】第１実施例のコイン投入作動装置のコイン管理集金システムに使用されるコインボックスのコインボックス本体からコイントレイを持ち上げた状態の側面図である。
【図４】第１実施例のコイン投入作動装置のコイン管理集金システムに使用されるコインボックス本体の平面図である。
【図５】第２実施例のコイン投入作動装置のコイン管理集金システムの全体概略図である。
【図６】第２実施例のコイン投入作動装置のコイン管理集金システムに使用されるコインボックス本体の平面図である。
【発明を実施するための形態】
【０００９】
図１〜図４には本発明に係るコイン投入作動装置のコイン管理集金システムの第１実施例が示されている。
【００１０】
なお、実施例では１００円コインを投入することを条件に利用できる有料コインロッカーに適用されたコイン投入作動装置のコイン管理集金システムを一例にして説明する。
【００１１】
図１には実施例のコイン投入作動装置のコイン管理集金システム１０のシステム概略図が示されている。
【００１２】
図１に示されるように、コイン投入作動装置管理会社としてのコインロッカー管理会社１２は、コイン投入作動装置としての有料コインロッカー１４を管理する会社である。
なお、図１には有料コインロッカー１４を１台のみ示すが、このコインロッカー管理会社１２は多数の有料コインロッカー１４を管理している。
【００１３】
前記コインロッカー管理会社１２には、管理用端末装置としてのパソコン（パーソナルコンピュータ）１６が設置されている。
また、前記有料コインロッカー管理会社１２には前記パソコン１６と接続されると共に有料コインロッカー１４を利用するために投入された１００円コインの枚数等のデータを集計、管理することができる管理集金サーバー１８が設置されている。
【００１４】
前記管理集金サーバー１８は、前記有料コインロッカー１４のコインボックス（後述）に収容された１００円コインの枚数、コインボックス個別識別番号、集金担当者ＩＤ、１００円コインを集金した集金日時等の種々のデータを集計、管理できるようになっている。
【００１５】
前記有料コインロッカー１４は、縦長で立体的な大型のロッカーキャビネット２０に多数（図１には６個を示す）のロッカー本体２２を備えることにより構成されている。
【００１６】
これらロッカー本体２２はそれぞれコイン投入口が設けられ、このコイン投入口に１００円コインを投入するとロッカー本体２２に設けられたロッカー本体錠前のロッカー本体キーを操作してロッカー本体２２の扉２４を開閉でき、利用者はロッカー本体２２を利用できるようになっている。
【００１７】
前記有料コインロッカー１４のロッカーキャビネット２０の下端部にはコインボックス挿入部２６が設けられ、コインボックス挿入部２６にはコインボックス３０が引出可能に挿入されている。
【００１８】
このコインボックス３０にはコインボックス３０毎にコインボックス個別識別番号が付与され、コインボックス３０毎に特定して識別できるようになっている。
【００１９】
図２に示されるように、前記コインボックス３０は、コインボックス本体３２とこのコインボックス本体３２に載置されるコイントレイ３４とから構成されている。
このコイントレイ３４は天面が開口されており、利用者がロッカー本体２２のコイン投入口に１００円コインを投入すると落下した１００円コインを収容するようになっている。
【００２０】
前記コイントレイ３４は、コインボックス本体３２に載置された状態で前記コインボックス挿入部２６に挿入されて使用されるが、コイントレイ３４はコインボックス本体３２から持ち上げることができるようになっている（図３参照）。
【００２１】
図２及び図３に示されるように、前記コインボックス本体３２の正面板３２Ａにはコインボックス用錠前３６が設けられている。
このコインボックス用錠前３６は、専用のコインボックス用キー３８を差し込んで一の方向に回転させてコインボックス用錠前３６を開錠するとコインボックス挿入部２６からコインボックス３０を引き出すことができ、コインボックス用キー３８を他の方向に回転させてコインボックス用錠前３６を施錠するとコインボックス挿入部２６からコインボックス３０を引き出すことができないようになっている。
【００２２】
図４に示されるように、前記コインボックス本体３２にはコイントレイ３４に収容された１００円コインの重量を計測して１００円コインの枚数を表示するコイン計測表示装置４０が設けられている。このコイン計測表示装置４０は前記コインボックス用錠前３６をコインボックス用キー３８で開錠すると作動するようになっている。
【００２３】
このコイン計測表示装置４０を構成する荷重センサーとしてのロードセル４２は、前記コインボックス本体３２のコイントレイ３４が載置される平面視矩形状のトレイ載置面３２Ｂに配設されている。
【００２４】
この実施例ではロードセル４２は４個設けられると共にトレイ載置面３２Ｂの角部近傍にそれぞれ１個づつ設けられている。このため、コイントレイ３４をトレイ載置面３２Ｂに載置するとコイントレイ３４はバランスよくロードセル４２に当接するのでコイントレイ３４に収容された１００円コインの重量をバラつきなく計測ができるようになっている。
【００２５】
前記ロードセル４２は公知のロードセルで、金属の歪により抵抗値の変化を検出するものである。前記４個のロードセル４２は、微小な抵抗値の変化からロードセル４２に作用した荷重の大きさを計測するようになっている。
【００２６】
従って、前記有料コインロッカー１４を利用できるコインが１００円コインのみの場合であれば、予め適宜方法で１００円コインの１枚の重量を計量してロードセル４２に記録しておくことによりコインボックス３０のコイントレイ３４に収容された１００円コインの総重量から１００円コインの枚数を計測できるようになっている。
【００２７】
前記コインボックス本体３２の一側には前記ロードセル４２と共に前記コイン計測表示装置４０を構成するコイン枚数表示装置４４が設けられている。このコイン枚数表示装置４４は前記ロードセル４２と接続されている。
このコイン枚数表示装置４４にはコインの枚数を表示するコイン枚数表示部４４Ａが設けられている。
前記コイン枚数表示部４４Ａは計測された１００円コインの枚数を表示するようになっている。
【００２８】
前記コイン枚数表示装置４４にはデータ送信装置としての赤外線通信装置４６が内設されている。
この赤外線通信装置４６は赤外線でコイントレイ３４に収容された１００円コインの枚数、コインボックス個別識別番号をハンディターミナル（後述）に送信するようになっている。
【００２９】
また、前記コイン枚数表示装置４４には初期設定スイッチ５０とクリアスイッチ５２が設けられている。
この初期設定スイッチ５０は、初期設定・メンテナンス用であり、集金担当者等は初期設定スイッチ５０を操作することができない構造になっている。
【００３０】
また、前記クリアスイッチ５２は、集金担当者等が押すことにより前記コイン枚数表示部４４Ａに表示されている１００円コインの枚数の数字を０にクリアするためのスイッチである。
【００３１】
前記コインボックス本体３２の一側部には電源部としての乾電池５４が設けられている。この乾電池５４は前記コイン枚数表示装置４４と接続され、前記コイン計測表示装置４０の電源となっている。
【００３２】
なお、前記コインボックス用キー３８を使用して前記コインボックス用錠前３６を開錠すると開錠と同時に前記コイン計測表示装置４０の電源スイッチが入り、ロードセル４２とコイン枚数表示装置４４が作動してロードセル４２がコイントレイ３４に収容された１００円コインの総重量を計測してコイン枚数表示装置４４が１００円コインの枚数をコイン枚数表示部４４Ａを介して表示するようになっている。
【００３３】
前記コインロッカー管理会社１２から派遣されて有料コインロッカー１４のコインボックス３０から１００円コインを集金する集金担当者は、図１に示される携帯端末としての公知のハンディターミナル６０と集金カバン６２を携帯している。
【００３４】
このハンディターミナル６０にはハンディターミナル６０を携帯している集金担当者の集金担当者ＩＤが登録されている。
前記ハンディターミナル６０は、前記赤外線通信装置４６から赤外線で送信されたコイントレイ３４に収容されている１００円コインの枚数、コインボックス個別識別番号、集金日時等のデータを自動的に読み取ると共にハンディターミナル６０の不揮発性メモリーに記録するようになっている。
【００３５】
また、前記ハンディターミナル６０は、赤外線送信されてきた１００円コインの枚数、コインボックス個別識別番号、集金日時に集金担当者ＩＤを加えたデータを前記コインロッカー管理会社１２の管理集金サーバー１８にＷｉＦｉ伝送でインターネット６４を介して送信することができるようになっている。
【００３６】
これにより、コインロッカー管理会社１２は、前記パソコン１６を操作してパソコン１６の画面を見るだけで管理集金サーバー１８に記録されたハンディターミナル６０から送信された１００円コインの枚数、コインボックス３０のコインボックス個別識別番号、集金日時、集金担当者ＩＤのデータを把握することができるようになっている。
【００３７】
次に、第１実施例のコイン投入作動装置のコイン管理集金システム１０の作用を説明する。
有料コインロッカー１４を利用する場合、利用者はロッカー本体２２の扉２４を開けて荷物をロッカー本体２２に入れて扉２４を閉めてロッカー本体２０のコイン投入口に利用料金を１００円コインで投入すると、投入された１００円コインは落下してコインボックス３０のコイントレイ３４に収容される。
【００３８】
有料コインロッカー１４が利用される毎にコイントレイ３４には１００円コインが収容されて貯まっていく。
【００３９】
前記コインロッカー管理会社１２が有料コインロッカー１４の集金を行う場合は、コインロッカー管理会社１２の集金担当者はコインロッカー管理会社１２が管理、保管しているコインボックス用キー３８とハンディターミナル６０と集金カバン６２を携帯して有料コインロッカー１４を巡回する。
【００４０】
集金担当者は集金する有料コインロッカー１４に到着すると、コインボックス用キー３８をコインボックス用錠前３６に差し込んで一の方向に回転させてコインボックス用錠前３６を開錠し、コインボックス３０をコインボックス挿入部２６から引き出す。
【００４１】
また、前記コインボックス用錠前３６が開錠されると同時にコイン計測表示装置４０の電源スイッチが入り、前記ロードセル４２がコイントレイ３４に収容されている１００円コインの総重量を計測してコイン枚数表示装置４４がコイン枚数表示部４４Ａを介してコイントレイ３４に収容されている１００円コインの枚数を表示する。
【００４２】
集金担当者が携帯しているハンディターミナル６０を前記赤外線通信装置４６に近づけると赤外線通信装置４６からコイントレイ３４に収容されている１００円コインの枚数、コインボックス個別識別番号、集金日時のデータが前記ハンディターミナル６０に送信される。
【００４３】
前記ハンディターミナル６０は、前記コインボックス３０の赤外線通信装置４６から赤外線で送信された１００円コインの枚数、コインボックス個別識別番号、集金日時のデータを自動的に読み取ると共にハンディターミナル６０の不揮発性メモリーに記録する。
【００４４】
集金担当者は、ハンディターミナル６０を使用して送信されてきた１００円コインの枚数、コインボックス個別識別番号、集金日時のデータに集金担当者ＩＤを加えて前記コインロッカー管理会社１２の管理集金サーバー１８にＷｉＦｉ伝送でインターネット６４を介して送信する。
【００４５】
前記管理集金サーバー１８に送信された前記データは管理集金サーバー１８で集計・統計される。
【００４６】
また、集金担当者は、コイントレイ３４から１００円コインを回収して持参した集金カバン６２に収納すると共に空になったコイントレイ３４をコインボックス本体３２の受箱載置面３２Ｂに載置し、コイン枚数表示装置４４のクリアスイッチ５２を押してコイン枚数表示部４４Ａの数字を０にする。
【００４７】
最後に集金担当者は、前記コインボックス３０をコインボックス挿入部２６に挿入し、コインボックス用キー３８をコインボックス用錠前３６に差し込んでコインボックス用キー３８を他の方向に回転させてコインボックス用錠前３６を施錠して次に集金する有料コインロッカー１４に向かう。
【００４８】
このためコインロッカー管理会社１２は、パソコン１６の画面を見るだけで有料コインロッカー１４のコインボックス３０に収容されている１００円コインの枚数、コインボックス個別識別番号、集金担当者ＩＤ、集金日時を有料コインロッカー１４毎に把握することができる。
【００４９】
また、パソコン１６に前記データをログ集計・統計を記録、保存しておくことにより有料コインロッカー１４毎の管理をすることができる。
【００５０】
複数の有料コインロッカー１４を巡回して集金してきた集金担当者がコインロッカー管理会社１２に戻ったら有料コインロッカー１４から集金してきた１００円コインの枚数とコインロッカー管理会社１２のパソコン１６の画面に表示された１００円コインの枚数を照合する。
【００５１】
従って、集金担当者は集金してきた１００円コインの枚数をコイン管理会社１２が既に把握しているので、集金時における１００円コインの抜き取り等の不正行為を行うことができなくなるので不正行為等を未然に防止することができる。
【００５２】
しかも、集金時に集金担当者がコインボックス用キー３８でコインボックス用錠前３６を開錠すると同時にコイン計測表示装置４０が作動するので、集金担当者がコインボックス３０をコインボックス挿入部２６から引き出してコイントレイ３４に収容されている１００円コインに触る前にコイントレイ３４の１００円コインの枚数は計測されているため、１００円コインの抜き取り等の不正行為を確実に防止することができる。
【００５３】
また、前記不正行為を未然に防止することができるので集金を複数の集金担当者で行わなくても済むので、集金担当者の人数を増加させる必要がなく人件費増大を抑えることができる。
【００５４】
なお、実施例のコイン投入作動装置のコイン管理集金システム１０は、集金時における集金担当者の不正行為を防止できるシステムとしては比較的シンプルな構成であるため、本システムの提供価格を抑えることができコインロッカー管理会社１２としてはコイン投入作動装置のコイン管理集金システム１０を導入し易いという利点を有する。
【００５５】
さらに、実施例のコイン投入作動装置のコイン管理集金システム１０を導入する場合、既存の有料コインロッカーのコインボックスを前記コインボックス３０に差し替えれば既存の有料コインロッカーを継続使用できるので、既に設置されている有料コインロッカーの有効利用を図ることができると共に資源の無駄を抑えることができる。
【００５６】
図５及び図６には本発明に係るコイン投入作動装置のコイン管理集金システムの第２実施例が示されている。
なお、第１実施例のコイン投入作動装置のコイン管理集金システム１０と同一の構成は同一の符号を用いてその説明は省略する。
【００５７】
図５には第２実施例のコイン投入作動装置のコイン管理集金システム７０の全体概略図が示され、図６にはコイン投入作動装置のコイン管理集金システム７０に使用されるコインボックス本体３２の平面図である。
【００５８】
図６に示されるように、前記コイン計測表示装置４０のコイン枚数表示装置４４にはタイマー装置７２が設けられている。このタイマー装置７２はコインロッカー管理会社１２が任意に設定した時間（例えば１時間毎）になるとコイン計測表示装置４０を作動させたり、作動を停止させることができるようになっている。
【００５９】
また、前記コイン計測表示装置４０のコイン枚数表示装置４４にはデータ遠隔収集装置７４が内蔵されている。
【００６０】
このデータ遠隔収集装置７４は、前記コイン計測表示装置４０が有するコイントレイ３４に収容されている１００円コインの枚数、コインボックス個別識別番号等のデータを自動的に読み取ることができる機能を有している。
【００６１】
図５に示されるように、前記データ遠隔収集装置７４は、コイントレイ３４に収容された１００円コインの枚数、コインボックス個別識別番号等のデータを前記コインロッカー管理会社１２の管理集金サーバー１８にＷｉＦｉ伝送でインターネット６４を介して送信することができるようになっている。
【００６２】
従って、このコイン投入作動装置のコイン管理集金システム７０においては第１実施例のコイン投入作動装置のコイン管理集金システム１０と異なり集金担当者がハンディターミナル６０を使用しなくてもコイントレイ３４に収容された１００円コインの枚数、コインボックス個別識別番号等のデータをコインロッカー管理会社１２の管理集金サーバー１８に送信することができるようになっている。
【００６３】
従って、前記コインロッカー管理会社１２がタイマー装置７２に任意に設定した時間（例えば１時間毎）になるとコイン計測表示装置４０が作動して情報遠隔収集装置７２が自動的にコイントレイ３４に収容されている１００円コインの枚数、コインボックス個別識別番号等のデータを前記コインロッカー管理会社１２の管理集金サーバー１８にＷｉＦｉ伝送でインターネット６４を介して送信するようになっている。
【００６４】
この結果、コインロッカー管理会社１２の集金担当者が有料コインロッカー１４を巡回しなくてもタイマー装置７２で設定した時間になると有料コインロッカー１４のコインボックス３０に収容されている１００円コインの枚数等をパソコン１６の画面を見るだけで把握することができる。
【００６５】
これにより、コインロッカー管理会社１２はパソコン１６の画面を見るだけで１００円コインが貯まっている有料コインボックス１４と１００円コインがあまり貯まっていない有料コインロッカー１４を容易に区別、認識することができるので、多数存在している有料コインロッカー１４を集金する回数や集金日時等の集金計画を効率的に計画することができ、効率的な集金を行うことができると共に集金コストを大幅に削減することができる。
【００６６】
さらに、前記コインロッカー管理会社１２は、パソコン１６の画面を見るだけで有料コインロッカー１４に収容されている１００円コインの枚数を設定時間毎に把握できるので、不自然な１００円コインの貯まり具合等を容易に把握でき、有料コインロッカー１４から１００円コインを盗む等の事件や有料コインロッカー１４の故障等が発生しても迅速に対処することができる。
【００６７】
なお、第２実施例のコイン投入作動装置のコイン管理集金システム７０の他の構成及び作用は第１実施例のコイン投入作動装置のコイン管理集金システム１０と同一であるので、他の構成及び作用の説明は省略する。
【００６８】
なお、実施例では荷重センサーとしてロードセル４２を示したが、１００円コインの荷重を計測できる荷重センサーであれば秤等の装置を使用した他の荷重センサーでもよいことは勿論である。
【００６９】
なお、実施例では使用するコインとして１００円コインを例にして説明したが、使用するコインは１００円コインに限定されるものでなく１０円コインや５００円コイン等の他のコインでもよいことは勿論である。
【００７０】
また、実施例ではコイン投入作動装置の一例として有料コインロッカー１４を示したが、コイン投入作動装置は有料コインロッカー１４に限定されるものではなく、自動販売機、ゲーム機等のコインを投入することにより作動する装置であれば他の装置でもよいことは勿論である。
【符号の説明】
【００７１】
１０    コイン投入作動装置のコイン管理集金システム
１２    コインロッカー管理会社
１４    有料コインロッカー
１６    パソコン
１８    管理集金サーバー
２０    ロッカーキャビネット
２２    ロッカー本体
２４    扉
２６    コインボックス挿入部
３０    コインボックス
３２    コインボックス本体
３４    コイントレイ
３６    コインボックス用錠前
３８    コインボックス用キー
４０    コイン計測表示装置
４２    ロードセル
４４    コイン枚数表示装置
４４Ａ  コイン枚数表示部
４６    赤外線通信装置
５０    初期設定スイッチ
５２    クリアスイッチ
５４    乾電池
６２    インターネット
６０    ハンディターミナル
６４    集金カバン
７０    コイン投入作動装置のコイン管理集金システム
７２    タイマー装置
７４    データ遠隔収集装置
【図１】
2020021433.tif 000003
【図２】
2020021433.tif 000004
【図３】
2020021433.tif 000005
【図４】
2020021433.tif 000006
【図５】
2020021433.tif 000007
【図６】
2020021433.tif 000008